(57)【要約】【課題】十分に保形性を確保できて単独の商品として流通でき、集塵袋への取り付けも容易に行える遮蔽ユニットとこれを取り付けた電気掃除機用集塵袋を提供する。【解決手段】遮蔽ユニット１は、電気掃除機用集塵袋の口紙の塵埃導入口に連通可能な第１の開口部２ａを有する固定片と、固定片の一辺に第１の折り返し線を介して接続され、第１の開口部２ａに連通可能な第２の開口部３ａを有するカバー片３と、固定片の一辺に直角な他辺に第２の折り返し線を介して接続され、第２の折り返し線に近い側に第１の開口部２ａを閉鎖可能な遮蔽部５を有し、第２の折り返し線から離れた側に第１の開口部２ａに連通可能な第３の開口部６ａが設けられた操作部６を有する遮蔽片４とを備えたシートが、各折り返し線で折り返され、前記固定片とカバー片３とで三辺を閉じた袋状に形成され、その内側に遮蔽片４が摘み部６ｂを外に出して収納された構成とされている。【選択図】図１
2008212527.tif 000002
【特許請求の範囲】
【請求項１】
電気掃除機用集塵袋の口紙の塵埃導入口に連通可能な第１の開口部を有する矩形状の固定片と、該固定片の一辺に第１の折り返し線を介して接続され、前記第１の開口部に連通可能な第２の開口部を有するカバー片と、前記固定片の一辺に直角な他辺に第２の折り返し線を介して接続され、該第２の折り返し線に近い側に前記第１の開口部を閉鎖可能な遮蔽部を有し、前記第２の折り返し線から離れた側に前記第１の開口部に連通可能な第３の開口部が設けられた操作部を有する矩形状の遮蔽片とを備えたシートが、前記各折り返し線で折り返され、前記固定片とカバー片とにより三辺が閉じられた袋状に形成され、その内側の収納部内に前記遮蔽片が収納されてなる遮蔽ユニットであって、
前記遮蔽片は、前記遮蔽部が、前記第２の折り返し線と平行な第３の折り返し線によって表裏方向に複数回折り返されて、その折り返し部を前記固定片の他辺の内側に沿って位置され、前記操作部が、前記第３の開口部を前記第１の開口部の位置に合わせられ、前記折り返し部の反対側の端部に設けた摘み部を前記収納部の開放側から外側に突き出した状態で前記収納部に収納されており、前記摘み部を介して前記操作部を前記収納部から引き出すことにより、前記遮蔽部で前記第１の開口部を閉鎖し得るようになっていることを特徴とする電気掃除機用集塵袋の遮蔽ユニット。
【請求項２】
前記遮蔽片は、その遮蔽部が第２の折り返し線で固定片の内側に折り返された後、固定片から離れた側から接近する側へ向けて順に複数回交互に折り返されてから前記操作部が前記固定片に沿うように設けられ、前記カバー片は、第１の折り返し線で固定片の内側に折り返されて、第１の折り返し線と反対側の辺の外側に設けられた糊しろが、前記固定片における第１の折り返し線と反対側の辺の外面に接着されると共に、前記固定片における他辺に対向する側の辺が、前記遮蔽部の折り返し部における最初の折り返し部分の外側面に設けられた糊しろに接着されていることを特徴とする請求項１に記載の電気掃除機用集塵袋の遮蔽ユニット。
【請求項３】
前記遮蔽片は、その遮蔽部が第２の折り返し線で固定片の内側に折り返された後、固定片から離れる側へ向けて順に複数交互に回折り返されてから前記操作部が前記カバー片に沿うように設けられ、前記カバー片は、第１の折り返し線で固定片の内側に折り返されて、第１の折り返し線と反対側の辺の外側に設けられた糊しろが、前記固定片における第１の折り返し線と反対側の辺の外面に接着されると共に、前記固定片における他辺に対向する側の辺に設けられた糊しろが、前記固定片の他の辺の外面に接着されていることを特徴とする請求項１に記載の電気掃除機用集塵袋の遮蔽ユニット。
【請求項４】
前記遮蔽片の操作部は、厚肉とされて前記遮蔽部との接続辺部に前記折り返し部を収容する凹部が形成されていることを特徴とする請求項３に記載の電気掃除機用集塵袋の遮蔽ユニット。
【請求項５】
前記遮蔽片の遮蔽部は、その前記固定片との接続部およびカバー片との接続部のうちの少なくとも一方の接続部側の幅が操作部の幅より小さく形成されていることを特徴とする請求項１〜４のいずれかに記載の電気掃除機用集塵袋の遮蔽ユニット。
【請求項６】
前記遮蔽片の操作部における第３の開口部の内周部には、所定長さの切り込み線が、操作部を前記収納部から引き出す方向に沿う直径線上において、前記遮蔽部側に位置して設けられていることを特徴とする請求項１〜５のいずれかに記載の電気掃除機用集塵袋の遮蔽ユニット。
【請求項７】
前記固定片の外面には、両面接着剤が塗布され、該接着剤の露出面側にシール用フィルムが貼付されていることを特徴とする請求項１〜６のいずれかに記載の電気掃除機用集塵袋の遮蔽ユニット。
【請求項８】
請求項１〜７に記載の遮蔽ユニットが、前記第１、第２、第３の開口部を集塵袋の口紙の塵埃導入口に連通され、前記固定片の外面を前記口紙の前面に接着されて取り付けられいることを特徴とする電気掃除機用集塵袋。
【発明の詳細な説明】
【技術分野】
【０００１】
本発明は、一般家庭用の電気掃除機に使用する集塵袋の塵埃導入口を遮蔽する遮蔽ユニットおよびこれを取り付けた電気掃除機用集塵袋に関するものである。
【背景技術】
【０００２】
従来、この種の電気掃除機用集塵袋において、塵埃で満杯になった集塵袋を電気掃除機の集塵室から取り出して捨てる際に、集塵袋の支持板の塵埃導入口から塵埃が漏れ出るの防ぐために、該塵埃導入口を遮蔽する遮蔽板で閉鎖するようにしたものがある。そして、前記遮蔽板として、シートを折り曲げて形成され、前記集塵袋の支持板の塵埃導入口に連通可能な第１の開口部を有して前記シートの折り返し線を境にしてその一方に設けられた固定片と、前記折り返し線の他方に設けられ、前記固定片に近い側に遮蔽部を有すると共に前記固定片から離れた側に第２の開口部を有して、前記固定片に対して摺動可能な遮蔽片と、第３の開口部を有し前記遮蔽片に対して直角方向に向けて前記固定片に設けた折り返し片とを備え、該折り返し片と前記固定片とで筒状または断面略コの字状に形成された収納部内に前記遮蔽片を収納し、前記折り返し片の外面を集塵袋の支持板に固着して構成され、電気掃除機の集塵室から集塵袋を取り出す時に、前記遮蔽片を前記収納部内から引き出して、前記第１，第２，第３の開口部を前記遮蔽部で閉鎖することにより、前記集塵袋の支持板の塵埃導入口を閉鎖するようにしたものが知られている（例えば、特許文献１参照）
【特許文献１】特許第２７７０７３８号公報
【発明の開示】
【発明が解決しようとする課題】
【０００３】
しかしながら、前記従来の電気掃除機用集塵袋の遮蔽板は、これを構成するシート自体は破断に対して強く構成されているが、シートが薄く軟質であって剛性がかなり低いので、前記固定片と折り返し片とで形成されて前記遮蔽片が収納される収納部は、筒状または断面コの字状に形成されていても、上下部が開口されており、集塵袋の支持板に取り付けられるまでは、全体として保形性が悪く変形し易い。そのため、取り扱い難くて集塵袋の支持板に取り付ける作業が厄介であると共に、前記遮蔽片の下部が収納部からその外側下方に突き出しているので、集塵袋を電気掃除機に装着する際に、前記遮蔽片の下部が邪魔になるおそれがある。また、前記折り返し片が前記集塵袋の支持板に取り付けられ、遮蔽片を有する固定片が前記支持板に対して自由状態となっているので、遮蔽片を収納部から強く引き出すと、固定片の下辺が支持板から離れて、支持板の塵埃導入口の閉鎖が不完全となるおそれがある。さらに、前記遮蔽板は、集塵袋に取り付けて市販することを前提としており、前記のとおり変形し易いので包装等も簡単に行うことができず、それ自体、単独の商品として流通させることができない等の不満がある。
【０００４】
本発明は、上記事情に鑑みてなされたものであって、十分に保形性を確保することができて、単独の商品として流通させることができると共に、集塵袋への取り付けも容易に行える電気掃除機用集塵袋の遮蔽ユニットおよびこれを取り付けた電気掃除機用集塵袋を提供することを目的とする。
【課題を解決するための手段】
【０００５】
本発明は、前記課題を解決するために、以下の構成としたことを特徴とする。
すなわち、請求項１に係る電気掃除機用集塵袋の遮蔽ユニットは、電気掃除機用集塵袋の口紙の塵埃導入口に連通可能な第１の開口部を有する矩形状の固定片と、該固定片の一辺に第１の折り返し線を介して接続され、前記第１の開口部に連通可能な第２の開口部を有するカバー片と、前記固定片の一辺に直角な他辺に第２の折り返し線を介して接続され、該第２の折り返し線に近い側に前記第１の開口部を閉鎖可能な遮蔽部を有し、前記第２の折り返し線から離れた側に前記第１の開口部に連通可能な第３の開口部が設けられた操作部を有する矩形状の遮蔽片とを備えたシートが、前記各折り返し線で折り返され、前記固定片とカバー片とにより三辺が閉じられた袋状に形成され、その内側の収納部内に前記遮蔽片が収納されてなり、前記遮蔽片は、前記遮蔽部が、前記第２の折り返し線と平行な第３の折り返し線によって表裏方向に複数回折り返されて、その折り返し部を前記固定片の他辺の内側に沿って位置され、前記操作部が、前記第３の開口部を前記第１の開口部の位置に合わせられ、前記折り返し部の反対側の端部に設けた摘み部を前記収納部の開放側から外側に突き出した状態で前記収納部に収納されており、前記摘み部を介して前記操作部を前記収納部から引き出すことにより、前記遮蔽部で前記第１の開口部を閉鎖し得るようになっていることを特徴としている。
【０００６】
請求項２に係る電気掃除機用集塵袋の遮蔽ユニットは、請求項１に記載の遮蔽ユニットにおいて、前記遮蔽片が、その遮蔽部を第２の折り返し線で固定片の内側に折り返された後、固定片側から離れた側から接近する側へ向けて順に複数回交互に折り返され、前記操作部を前記固定片に沿うように設けられ、前記カバー片が、第１の折り返し線で固定片の内側に折り返されて、第１の折り返し線と反対側の辺の外側に設けられた糊しろを、前記固定片における第１の折り返し線と反対側の辺の外面に接着されると共に、前記固定片における他辺に対向する側の辺を、前記遮蔽部の折り返し部における最初の折り返し部分の外側面に設けられた糊しろに接着されていることを特徴としている。
【０００７】
請求項３に係る電気掃除機用集塵袋の遮蔽ユニットは、請求項１に記載の遮蔽ユニットにおいて、前記遮蔽片が、その遮蔽部を第２の折り返し線で固定片の内側に折り返された後、固定片側から離れる側へ向けて順に複数回交互に折り返されてから前記操作部が前記カバー片に沿うように設けられ、前記カバー片が、第１の折り返し線で固定片の内側に折り返されて、第１の折り返し線と反対側の辺の外側に設けられた糊しろを、前記固定片における第１の折り返し線と反対側の辺の外面に接着されると共に、前記固定片における他辺に対向する側の辺に設けられた糊しろを、前記固定片の他の辺の外面に接着されていることを特徴としている。
【０００８】
請求項４に係る電気掃除機用集塵袋の遮蔽ユニットは、請求項３に記載の遮蔽ユニットにおいて、前記遮蔽片の操作部が、厚肉とされて前記遮蔽部との接続辺部に前記折り返し部を収容する凹部を形成されていることを特徴としている。
【０００９】
請求項５に係る電気掃除機用集塵袋の遮蔽ユニットは、請求項１〜４のいずれかに記載の遮蔽ユニットにおいて、前記遮蔽片の遮蔽部が、その前記固定片との接続部およびカバー片との接続部のうちの少なくとも一方の接続部側の幅を操作部の幅より小さく形成されていることを特徴としている。
【００１０】
請求項６に係る電気掃除機用集塵袋の遮蔽ユニットは、請求項１〜５のいずれかに記載の遮蔽ユニットにおいて、前記遮蔽片の操作部における第３の開口部の内周部に、所定長さの切り込み線が、操作部を前記収納部から引き出す方向に沿う直径線上において、前記遮蔽部側に位置して設けられていることを特徴としている。
【００１１】
請求項７に係る電気掃除機用集塵袋の遮蔽ユニットは、請求項１〜６のいずれかに記載の遮蔽ユニットにおいて、前記固定片の外面に、両面接着剤が塗布され、該接着剤の露出面側にシール用フィルムが貼付されていることを特徴としている。
【００１２】
請求項８に係る電気掃除機用集塵袋は、請求項１〜７に記載の遮蔽ユニットが、前記第１、第２、第３の開口部を集塵袋の口紙の塵埃導入口に連通され、前記固定片の外面を前記口紙の前面に接着されて取り付けられいることを特徴としている。
【発明の効果】
【００１３】
本発明は以下の優れた効果を奏する。
すなわち、請求項１に係る電気掃除機用集塵袋の遮蔽ユニットによれば、固定片とカバー片とが結合されて三方が閉じられて遮蔽部と操作部を収納する収納部が袋状に形成されているので、遮蔽ユニットを全体として剛性を高めて保形性を十分に確保することができて、その取り扱いや包装等を容易に行えて、単独の商品として流通させることができると共に、集塵袋への取り付けも容易に行うことができる。
【００１４】
請求項２と請求項３に係る電気掃除機用集塵袋の遮蔽ユニットによれば、固定片とカバー片に設けられた一対の糊しろ、またはカバー片に設けられた一対の糊しろによって、前記固定片とカバー片が結合されて三方が閉じられて前記遮蔽部と操作部とを収納する袋状の遮蔽ユニットを強固に形成することができる。
【００１５】
請求項４に係る電気掃除機用集塵袋の遮蔽ユニットによれば、操作部の凹部内に遮蔽部の折り返し部が収納されているので、折り返し部がその重なり厚さによって、固定片とカバー片とによって圧迫されることがなく、操作部の引き出しに追従して折り返し部を凹部から円滑に引き出して、第１の開口部を速やかに閉鎖することができる。
【００１６】
請求項５に係る電気掃除機用集塵袋の遮蔽ユニットによれば、操作部を収納部から引き出して遮蔽部で固定片の第１の開口部を閉鎖する際に、遮蔽部の折り返し部から個々の折り返し部分を順序よく折り返しを解いて操作部に追従して引き出させることができるので、操作部を円滑に収納部から引き出して第１の開口部を速やかに閉鎖することができる。
【００１７】
請求項６に係る電気掃除機用集塵袋の遮蔽ユニットによれば、操作部を収納部から引き出して遮蔽部で固定片の第１の開口部を閉鎖する際に、操作部の第２の開口部の周辺が変形して前記第１の開口部内に入り込んで、操作部を円滑に引き出すのを阻害する現象を防止することができる。
【００１８】
請求項７に係る電気掃除機用集塵袋の遮蔽ユニットによれば、固定片の裏面からシール用フィルムを剥がして、該固定板をその裏面の接着剤で市販の遮蔽板付きでない集塵袋の口紙に接着させることにより、該遮蔽板付きでない集塵袋を容易に遮蔽板付きの電気掃除機用集塵袋に変換して使用することができる。
【００１９】
請求項８に係る電気掃除機用集塵袋の遮蔽ユニットによれば、遮蔽ユニットが保形性を良好に確保された状態で集塵袋に取り付ることができるので、その取付作業が容易にかつ正確に行えると共に、操作片の遮蔽部による集塵袋の塵埃導入口の閉鎖を確実に行える電気掃除機用集塵袋を提供することができる。
【発明を実施するための最良の形態】
【００２０】
以下、本発明の一実施の形態に係る電気掃除機用集塵袋の遮蔽ユニットについて添付図面を参照して説明する。
図１〜図５は本発明の第１の実施の形態に係る電気掃除機用集塵袋の遮蔽ユニット１を示す。この電気掃除機用集塵袋の遮蔽ユニット１は、合成繊維、合成樹脂等を複合して製造された紙様の単一のシートＳ（図４参照）を複数の折り返し線ｓで折り返して、三辺を閉じた正面視で矩形の袋状に形成され、中央部に裏面側の固定片２と正面側のカバー片３を貫通する第１、第２の開口部２ａ，３ａが設けられ、袋状の内側の収納部１ａ内には前記各開口部２ａ，３ａの連通を遮断することが可能な遮蔽片４が収納されている。
【００２１】
すなわち、前記シートＳは、図４に示すように、電気掃除機用集塵袋Ｐ（図６、図７参照）の口紙ｐ１の塵埃導入口ｐ２に連通する第１の開口部２ａを有する矩形状の前記固定片２と、該固定片２の一辺ｙ（図４で左辺）を第１の折り返し線ｓ１として固定片２に接続され、前記第１の開口部２ａに連通可能な第２の開口部３ａを有する矩形状の前記カバー片３と、前記固定片２の一辺ｙに直角な他辺ｘ（図４で下辺）を第２の折り返し線ｓ２として該固定片２に接続され、該第２の折り返し線ｓ２に近い側に前記第１の開口部２ａを閉鎖可能な遮蔽部５を有し、前記折り返し線ｓ２から離れた側に前記第１の開口部２ａに連通可能な第３の開口部６ａが設けられた操作部６を有する図４で上下に長い矩形状の前記遮蔽片４とを備えている。
【００２２】
前記カバー片３における第１の折り返し線ｓ１と反対側の辺（図４で左辺）には、図４で紙面の表面側を接着面３ｂ１とする糊しろ３ｂが、折り返し線ｓ４で紙面の手前側に折り返し可能に設けられている。
また、前記遮蔽片４は、前記遮蔽部５が、前記第２の折り返し線ｓ２と平行な複数の第３の折り返し線ｓ３（ｓ３ａ〜ｓ３ｆ）によって表裏方向に複数回交互に（ジグザグに）折り返されて、その折り返し部５ａを前記固定片２の他辺ｘの内側（図４で紙面の手前側、図２で下側、図３で左側）に沿って位置され、前記操作部６が、前記第３の開口部６ａを前記第１の開口部２ａの位置に合わせられるようになっており、前記折り返し部５ａと反対側（図４で下側）の端部辺に沿って、その中央部に外側（図４下側）に突き出して摘み部６ｂが設けられている。
【００２３】
前記遮蔽片４の幅（前記固定片２の他辺ｘ方向の長さ、図４で左右方向の寸法）は、該他辺ｘの長さより僅かに小さく設定されており、前記カバー片３を第１の折り返し線ｓ１で固定片２側に折り返して、前記糊しろ３ｂを固定片２の裏面（外面）に接着して固定片２とカバー片３とで筒状に形成した際に、該筒状部に前記第２の折り返し線ｓ２で固定片２側に折り返した前記遮蔽片４を容易に挿通し得るようになっている。そして、前記遮蔽部５の折り返し部５ａにおける前記第２の折り返し線ｓ２と第３の折り返し線ｓ３における開始線ｓ３ａとの間の最初の折り返し部５ａ１は、その幅が前記遮蔽片４と同じ幅を有し、その折り返し方向における寸法が、第３の折り返し線ｓ３における各折り返し線ｓ３ａ〜ｓ３ｆの相互間距離より僅かに大きく設定されている。
【００２４】
さらに、前記折り返し部５ａの幅は、前記第３の折り返し線ｓ３の開始線ｓ３ａ側が狭く、終端線ｓ３ｆ側に行くに従って徐々に広がり、前記終端ｓ３ｆの部分で前記遮蔽片４と同じ幅となるように設定され、前記折り返し部５ａの両縁は遮蔽片４の幅方向の中央線を中心にして対称に傾斜されている。
また、前記操作部６の第３の開口部６ａの内周部には、所定長さの切り込み線６ｃが、遮蔽片４のは幅方向の中央線（前記操作部６を前記収納部１ａから引き出す方向）に沿う直径線上において、前記遮蔽部５側に位置して設けられている。
なお、前記最初の折り返し部５ａ１の図４で紙面の向こう側（裏面側）は、前記カバー片３における固定片２の他辺ｘの延長上にある辺ｘ１（図４で下辺）に沿う所定高さ部分３ｘを接着する糊しろとして利用されるようになっている。
【００２５】
次に、前記シートＳから遮蔽ユニット１を形成するには、先ず、図４に示すように展開された状態のシートＳにおける遮蔽片４を、図５に示すように、第２の折り返し線ｓ２で紙面に垂直に手前方向に折り返してから、上方に固定片２の手前側（内側）に沿うように折り返し、しかる後に、第３の折り返し線ｓ３の開始線ｓ３ａで前記と反対方向に折り返し、順次、第３の折り返し線ｓ３の終端線ｓ３ｆに至るまで各折り返し線ｓ３ｂ〜３ｅで交互に（ジグザグに）折り返すことにより折り返し部５ａを形成して、該折り返し部５ａが、前記最初の折り返し部５ａ１を固定片２から離れた側に位置され、順に固定片２に接近する側へ向けて折り重ねられ、前記固定片２の他辺ｘ（図４の下辺）に沿わされた状態とし、前記操作部６が前記固定片２の手前側に平行に沿って固定片２の前記他辺ｘの対向辺側に延長され、前記操作部６の摘み部６ｂが前記対向辺から上方へ突き出された状態とする。なお、前記第３の折り返し線ｓ３における各折り返し線ｓ３ａ〜ｓ３ｆの部分には、前記折り返し部５ａの折り返し作業を容易に行えるように、極く細いミシン目を設けてもよい。
【００２６】
次に、上記状態を保持しながら、前記カバー片３を前記第１の折り返し線ｓ１で紙面の手前側に垂直に折り返してから、さらに固定片２の内側に平行に沿うように折り返し、前記遮蔽部５の最初の折り返し部５ａ１の裏面側に接着剤ｇを塗布して、前記カバー片３の下辺ｘ１を前記最初の折り返し部５ａ１の裏面側に接着する。しかる後に、前記カバー片３の糊しろ３ｂの接着面３ｂ１に接着剤ｇを塗布し、折り返し線ｓ４で固定片２の裏面側へ折り返して、該固定片２の裏面に前記糊しろ３ｂを接着する。
【００２７】
これにより、図１〜図３に示すように、前記固定片２とカバー片３とがそれらの左右両辺と下辺ｘ，ｘ１側の三辺を閉じられて袋状に形成され、その内側の収納部１ａに、底部側に折り重ねられた遮蔽部５ａを位置させ、第３の開口部６ａを前記固定片２とカバー片３の第１、第２の開口部２ａ，３ａに連通させた状態とし、前記操作部６を固定片２の内側面に沿わせ、摘み部６ｂを前記収納部１ａの開放側から上方（外側）へ突き出した状態とした遮蔽片４が収納されてなる遮蔽ユニット１が構成される。そして、前記摘み部６ｂを介して前記操作部６を前記収納部１ａから引き出すことにより、前記遮蔽部５で前記第１の開口部２ａを閉鎖し得るようになっている。
なお、前記のように構成された遮蔽ユニット１は、図１で上下方向の高さ寸法および左右方向の幅寸法が、市販の電気掃除機用集塵袋ｐの口紙ｐ１のいずれにも好適に取り付け得る大きさに設定されている。
【００２８】
このように構成された遮蔽ユニット１は、図６、図７に示すように、電気掃除機様集塵袋Ｐの口紙ｐ１の塵埃導入口ｐ２に前記固定片２の第１の開口部２ａを、それらの中心が一致するように連通させて、固定片２をその裏面側を前記口紙ｐ１の前面に接着して該口紙ｐ１に取り付ける。
このように遮蔽ユニット１が取り付けられた電気掃除機用集塵袋Ｐにおいては、図６に示すように、前記遮蔽ユニット１がその収納部１ａに遮蔽片４が収納された状態で、電気掃除機の集塵室に装着して使用される。その装着の際には、前記遮蔽ユニット１が三方を閉じた袋状に形成され、その収納部１ａ内に遮蔽片４が摘み部６ｂのみを除いて完全に収納された状態となっており、遮蔽ユニット１の下方に遮蔽片４が障害物の如く突き出していないので、支障無く円滑、確実に集塵室に装着することはできる。
【００２９】
電気掃除機が繰り返し使用されることにより前記集塵袋Ｐに塵埃が満杯になったときには、前記集塵袋Ｐを集塵室から取り出す前に、集塵室内に突出している集塵パイプと前記口紙ｐ１の塵埃導入口ｐ２との嵌合を外した状態として、図７に示すように、前記摘み部６ｂを掴んで遮蔽片４の操作部６を前記収納部１ａから上方へ引き抜く（引き出す）。これにより、該操作部６が前記固定片２とカバー片３とに沿って上方へ移動されて、前記遮蔽部５の折り返し部５ａが固定片２の内面に接する側から順に折り返しを解かれながら上方へ引き上げられ、前記閉鎖部５によって前記第１の開口部２ａ、口紙ｐ１の塵埃導入口ｐ２が閉鎖される。このように前記口紙ｐ１の塵埃導入口ｐ２を遮蔽部５で閉鎖してから、前記集塵袋Ｐを電気掃除機の集塵室から取り出すことにより、集塵袋Ｐに回収された塵埃が外部に漏れるのを確実に防止することができる。
【００３０】
以上説明したように、前記第１の実施の形態に係る電気掃除機用集塵袋の遮蔽ユニット１は、電気掃除機用集塵袋Ｐの口紙ｐ１の塵埃導入口ｐ２に連通可能な第１の開口部２ａを有する矩形状の固定片２と、該固定片２の一辺ｙに第１の折り返し線ｓ１を介して接続され、前記第１の開口部２ａに連通可能な第２の開口部３ａを有するカバー片３と、前記固定片２の一辺ｙに直角な他辺ｘに第２の折り返し線ｓ２を介して接続され、該第２の折り返し線ｓ２に近い側に前記第１の開口部２ａを閉鎖可能な遮蔽部５を有し、前記第２の折り返し線ｓ２から離れた側に前記第１の開口部２ａに連通可能な第３の開口部６ａが設けられた操作部６を有する矩形状の遮蔽片４とを備えたシートＳが、前記各折り返し線ｓ１，ｓ２で折り返され、前記固定片２とカバー片３とにより三辺が閉じられた袋状に形成され、その内側の収納部１ａ内に前記遮蔽片４が収納されてなり、前記遮蔽片４が、前記遮蔽部を、前記第２の折り返し線ｓ２と平行な第３の折り返し線ｓ３によって表裏方向に複数回折り返されて、その折り返し部５ａを前記固定片２の他辺ｘの内側に沿って位置され、前記操作部６を、前記第３の開口部６ａが前記第１の開口部２ａの位置に合わせられ、前記折り返し部５ａの反対側の端部に設けた摘み部６ｂを前記収納部１ａの開放側から外側に突き出した状態で前記収納部１ａに収納されており、前記摘み部６ｂを介して前記操作部６を前記収納部１ａから引き出すことにより、前記遮蔽部５で前記第１の開口部２ａを閉鎖し得るように構成されている。
【００３１】
したがって、前記第１の実施の形態に係る電気掃除機用集塵袋の遮蔽ユニット１によれば、固定片２とカバー片３に設けられた一対の糊しろ３ｂ，５ａ１によって、固定片２とカバー片３とが結合されて三方が閉じられ、内側に遮蔽部５と操作部６を収納する収納部１ａが袋状に形成されているので、遮蔽ユニット１を形成するシートＳが薄くても、全体として剛性を高めて保形性を十分に確保して遮蔽ユニット１を強固に形成することができて、その取り扱いや包装等を容易に行うことができ、遮蔽ユニット１を単独の商品として流通させることができると共に、集塵袋Ｐへの取り付けも容易に行うことができる。
そして、前記遮蔽ユニット１を取り付けた電気掃除機用集塵袋Ｐによれば、遮蔽ユニット１が保形性を良好に確保された状態で集塵袋Ｐに容易にかつ正確に取り付けることができる。
その上、集塵袋Ｐの口紙ｐ１に固定される前記固定片２に遮蔽片４が接続され、該遮蔽片４が固定片２とカバー片３とにより収納部１ａの底部にしっかりと固定される構成となっているので、前記遮蔽片４を収納部１ａから強く引き抜いても、固定片２やカバー片３が変形する余地がなく、遮蔽片４の遮蔽部５による集塵袋Ｐの口紙ｐ１の塵埃導入口ｐ２の閉鎖を確実に行うことができる。
【００３２】
前記遮蔽ユニット１を単独の商品として流通させる場合には、前記固定片２の裏面（外面）に、両面接着剤が塗布され、該両面接着剤の露出面側にシール用フィルムが貼付された状態として遮蔽ユニット１が複数個まとめられて包装された構成とすると、使用者が使用時に包装から遮蔽ユニット１を取り出し、固定片２の裏面から前記シール用フィルムを剥がして、前記固定片２を、その第１の開口部２ａを市販の遮蔽板付きでない集塵袋Ｐの口紙ｐ１の塵埃導入口Ｐ２に合わせ、露出した接着剤によって前記口紙２ｐに接着させることにより、該遮蔽板付きでない集塵袋Ｐを容易に遮蔽板付きの電気掃除機用集塵袋Ｐに変換して使用することができる。
【００３３】
また、前記第１の実施の形態に係る電気掃除機用集塵袋の遮蔽ユニット１によれば、前記遮蔽片４の遮蔽部５が、その前記固定片２との接続部側の幅を操作部６の幅より小さく形成された構成とされているので、操作部６を収納部１ａから引き出して遮蔽部５で固定片２の第１の開口部２ａを閉鎖する際に、遮蔽部５をその折り返し部５ａから個々の折り返し部分を順序よく折り返しを解いて操作部６に追従して引き出させることができるので、操作部６を円滑に収納部１ａから引き出して第１の開口部２ａを速やかに閉鎖することができる。
【００３４】
また、前記遮蔽片４の操作部６における第３の開口部６ａの内周部に、所定長さの切り込み線６ｃが、操作部６を前記収納部１ａから引き出す方向に沿う直径線上において、前記遮蔽部５側に位置して設けられた構成とされているので、前記摘み部６ｂで操作部６を上方へ引き抜く際に、操作部６を収納部１ａから引き出して遮蔽部５で固定片２の第１の開口部２ａを閉鎖する際に、操作部６の第３の開口部６ａの周辺が変形して前記第１の開口部２ａ内に入り込んで、操作部６を収納部１ａから円滑に引き出すのを阻害する現象を防止することができる。
【００３５】
次に、図８、図９は本発明の第２の実施の形態に係る電気掃除機用集塵袋の遮蔽ユニット１Ａを示す。この遮蔽ユニット１Ａは、図８に示すように、シートＳａがその展開された状態において、前記カバー片３の下辺ｘ１（固定片２の他辺ｘに対向する辺、または他辺ｘの延長線上にある辺）に沿って接着面３ｃ１を有する糊しろ３ｃが設けられると共に、固定片２の他辺ｘに折り返し線ｓ２を介して接続される遮蔽片４における遮蔽部５が、その幅を前記第２の折り返し線ｓ２の位置から第３の折り返し線ｓ３の終端線ｓ３ｆの位置に行くにしたがって徐々に狭くなるようにして両縁を対称に傾斜され、また、操作部６が、その遮蔽部５側の幅を前記終端線ｓ３ｆ側に行くにしたがって徐々に狭くなるようにして両縁を対称に傾斜され、前記終端線ｓ３ｆの位置で遮蔽部５に接続された形状とされている。前記シートＳａの他の形状は前記シートＳと同様であるので、同様な部分には同一の符号を付してそれらについての詳細説明は省略する。
【００３６】
前記シートＳａによって袋状の遮蔽ユニット１Ａを形成する場合には、図９に示すように、第２の折り返し線ｓ２で遮蔽片４を固定片２の内側面（紙面の手前側面）に対向するように折り返した後に、第３の折り返し線ｓ３（ｓ３ａ〜ｓ３ｆ）で遮蔽部５を交互に（ジグザグに）折り返すことにより、前記固定片２側から手前側に向けて順に折り重なった折り返し部５ａを形成し、前記終端線ｓ３ｆで前記遮蔽片４の操作部６を前記固定片２の内側面に平行になるように折り返して上方へ立ち上げる。しかる後に、前記固定片２との間に前記折り返し部５ａと操作部６を挟むように、前記カバー片３を固定片２側に折り返し線ｓ１で折り返してから、カバー片３の糊しろ３ｂを固定片２の裏面に接着剤ｇで接着し、さらに、前記カバー片３の下辺ｘ１の糊しろ３ｃの接着面３ｃ１を前記固定片２の他辺ｘ（前記第２の折り返し線ｓ２側の辺）の裏面に接着剤ｇで接着する。
【００３７】
これにより、前記カバー片３に設けられた一対の糊しろ３ｂ、３ｃによって、前記固定片２とカバー片３が結合されて三方が閉じられて、前記遮蔽部５と操作部６とを収納する収納部１ａ（図２、図３参照）を設けた袋状の遮蔽ユニット１を強固に形成することができる。
したがって、前記第２の実施の形態に係る電気掃除機用集塵袋の遮蔽ユニット１Ａによれば、前記第１の実施の形態に係る電気掃除機用集塵袋の遮蔽ユニット１と同様な作用、効果を奏することができる。
【００３８】
次に、図１０は本発明の第３の実施の形態に係る電気掃除機用集塵袋の遮蔽ユニット１Ｂを示す。この遮蔽ユニット１Ｂは、図１０に示すように、シートＳｂがその展開された状態において、固定片２の他辺ｘに折り返し線ｓ２を介して接続される遮蔽片４における遮蔽部５が、その幅を遮蔽片４の操作部６の幅より狭い一定幅として矩形状に形成されると共に、前記操作部６が、前記固定片２、カバー片３および遮蔽部５より厚肉に形成され、外遮蔽部５との接続部に、折り返し部５ａの折り重ね厚さに相当する深さを有し、第３の折り返し線ｓ３ａ，ｓ３ｂ，・・・の相互間距離に相当する奥行き（遮蔽片４の長さ方向寸法）を有し、遮蔽部５の幅６に相当する幅を有する矩形状の凹部６ｅが設けられ、該凹部６ｅに前記遮蔽部５の操作部６側の端部が挿入されて接着された構成とされている。  前記シートＳｂの他の形状は、前記第２の実施の形態に係る電気掃除機用集塵袋の遮蔽ユニット１ＡのシートＳａと同様であるので、同様な部分には同一の符号を付してそれらについての詳細説明は省略する。
【００３９】
この実施の形態に係る電気掃除機用集塵袋の遮蔽ユニット１Ｂは、前記シートＳｂの展開図しか図示しないが、前記シートＳｂを前記遮蔽ユニット１ＡのシートＳａと同様に各折り返し線ｓ１，ｓ２，ｓ３で折り返して、カバー片３に設けられた一対の糊しろ３ｂ、３ｃによって、前記固定片２とカバー片３が結合されて三方が閉じられて前記遮蔽部５と操作部６とを収納する収納部１ａ（図２、図３参照）を設けた袋状の遮蔽ユニット１Ｂを強固に形成することができる。
したがって、前記第３の実施の形態に係る電気掃除機用集塵袋の遮蔽ユニット１Ｂによれば、前記第２の実施の形態に係る電気掃除機用集塵袋の遮蔽ユニット１Ａと同様な作用、効果を奏することができると共に、前記操作部６の凹部６ｅ内に遮蔽部５の折り返し部５ａが収納されているので、折り返し部５ａがその重なり厚さによって、固定片２とカバー片３とによって圧迫されることがなく、操作部６の引き出しに追従して折り返し部５ａを凹部６ｃから円滑に引き出すことができて、第１の開口部２ａを速やかに閉鎖することができる。
【００４０】
なお、前記遮蔽ユニット１Ｂにおいては、前記遮蔽片４の操作部６が厚肉に形成されているので、該操作部６を収納部１ａ（図２、図３参照）から引き抜く際に操作部６が開口部６ａの影響で変形するといった問題が生じることがないため、前記遮蔽ユニット１，１Ａにおいて前記第３の開口部６ａの内周部に設けた切り込み線６ｃを省略することができる。
また、前記遮蔽ユニット１，１Ａ，１Ｂは、それを前記口紙ｐ１の塵埃導入口ｐ２にシール弁を有しない電気掃除機用集塵袋Ｐに取り付けて使用する例を示したが、これに限らず、シール弁を有する電気掃除機用集塵袋Ｐにも適用することができる。
【図面の簡単な説明】
【００４１】
【図１】本発明の第１の実施の形態に係る電気掃除機用集塵袋の遮蔽ユニットを示す正面図である。
【図２】同じく平面図である。
【図３】図１のイ−イ断面図である。
【図４】本発明の第１の実施の形態に係る電気掃除機用集塵袋の遮蔽ユニットの形成用シートの展開図である。
【図５】同じく遮蔽ユニットの形成方法の説明図である。
【図６】同じく電気掃除機用集塵袋に取り付けた状態の遮蔽ユニット（塵埃導入口の開放状態）を示す斜視図である。
【図７】同じく電気掃除機用集塵袋に取り付けた状態の遮蔽ユニット（塵埃導入口の閉鎖状態）を示す斜視図図である。
【図８】本発明の第２の実施の形態に係る電気掃除機用集塵袋の遮蔽ユニットの形成用シートの展開図である。
【図９】同じく遮蔽ユニットの形成方法の説明図である
【図１０】本発明の第３の実施の形態に係る電気掃除機用集塵袋の遮蔽ユニットの形成用シートの展開図である。
【符号の説明】
【００４２】
１，１Ａ，１Ｂ  遮蔽ユニット
２  固定片
２ａ，３ａ，６ａ  第１，第２、第３の開口部
３  カバー片
３ｂ，３ｃ  糊しろ
４  遮蔽片
５  遮蔽部
５ａ  折り返し部
６  操作部
６ｂ  摘み部
６ｃ  切り込み線
６ｅ  凹部
Ｓ，Ｓａ，Ｓｂ  シート
ｓ１，ｓ２，ｓ３，ｓ４，ｓ５  折り返し線
【図１】
2008212527.tif 000003
【図２】
2008212527.tif 000004
【図３】
2008212527.tif 000005
【図４】
2008212527.tif 000006
【図５】
2008212527.tif 000007
【図６】
2008212527.tif 000008
【図７】
2008212527.tif 000009
【図８】
2008212527.tif 000010
【図９】
2008212527.tif 000011
【図１０】
2008212527.tif 000012